(57)【要約】【課題】大電流コネクタの提供。【解決手段】本考案は一種の大電流コネクタに関わるもので、主に雄挿入部材、雌台部材を設ける。雄挿入部材に外部ケース、導通体、および上下部金属片を設け、雌台部材に外部スリーブを設ける。絶縁体と上下金属片、外部スリーブの両側に噛み合わせ溝をそれぞれに設け、この噛み合わせ溝に向かい合った雄挿入部材の外部ケース側面に弾性掛け合い部材を設けて、弾性掛け合い部材と噛み合わせ溝を噛み合わせて結合する。【選択図】図１
0003122084.tif 000002
【実用新案登録請求の範囲】
【請求項１】
雄挿入部材に外部ケース、導通体、および上部金属片を設け、外部ケース両端に中空体をそれぞれに設け、かつ、二つの中空体の間に掛け合い溝を設ける、その一端に台形面を設け、他端に備える相継ぎ端の両側に弾性掛け合い部材を設ける、導通体の一端に外部ケースに備えるもう一つの中空体と同じ形状を設ける、上下金属片は二つの中空体間の掛け合い溝に挿入し、導通体を囲む、一端に円弧状の挿入端を設け、他端は導通孔端を設ける、
雌台部材に外部ケース、絶縁体および上部金属片を設け、外部ケースは中空体を設ける、その一端に挿入孔を設け、他端は導通端を設け、その両端に噛み合わせ溝をそれぞれに設ける、絶縁体は外部ケース一端の挿入孔に挿入し、両側に掛け合い溝を設け、一端に接触抵抗を設け、他端に挿入端を設ける、
上下金属片は絶縁体両側に備える掛け合い溝に挿入し、一端に挿入端を設け、他端に導通孔端を設けることを特徴とする一種の大電流コネクタ。
【請求項２】
請求項１記載の大電流コネクタにおいて、外部ケース一端の台形面に滑り防止横縞または突起部のいずれを設ける構造であることを特長とする大電流コネクタ。
【請求項３】
請求項１記載の大電流コネクタにおいて、導通体の一端は上下端に凹み溝を備えた挿入端であり、他端は導通端構造であることを特長とする大電流コネクタ。
【考案の詳細な説明】
【技術分野】
【０００１】
本考案は一種の大電流コネクタに関わる。
【背景技術】
【０００２】
市販の電気周辺装置は、日進月歩に成長している。電気周辺装置のうち、雄挿入部材、雌台部材より構成するコネクタ部品は、組立時間の軽減のほか、雄挿入部材、雌台部材の接続性の向上に関する改良は、業者が常に研究し、簡素化と組立の容易性を実現する雄挿入部材、雌台部材接続の研究に注力している。
【０００３】
一方、従来の雄挿入部材、雌台部材の接続はねじ締めによる締めつけるため、使用後、雄挿入部材、雌台部材の締めつけ部品は衝撃により緩めてしまい、設ける孔の位置に公差の誤差であっても、雄挿入部材、雌台部材の固定が困難となり、組立時間を軽減できないほか、電気の導通効果に影響する場合がある。
【考案の開示】
【考案が解決しようとする課題】
【０００４】
本考案は一種の大電流コネクタに関わるもので、主に雄挿入部材、雌台部材を設ける。雄挿入部材に外部ケース、導通体、および上下部金属片を設け、雌台部材に外部スリーブを設ける。絶縁体と上下金属片、外部スリーブの両側に噛み合わせ溝をそれぞれに設け、この噛み合わせ溝に向かい合った雄挿入部材の外部ケース側面に弾性掛け合い部材を設けて、弾性掛け合い部材と噛み合わせ溝を噛み合わせて結合する。
【０００５】
前記の目的を達成するため、一種の大電流コネクタは主に、雄挿入部材、雌台部材より構成する。雄挿入部材に外部ケース、導通体および上下金属片を設け、雌台部材に外部ケース、絶縁体と上下金属片を設ける。外部ケースの両側に噛み合わせ溝をそれぞれに設け、噛み合わせ溝に向かい合った雄挿入部材の外部ケースの側面に弾性掛け合い部材を設ける。この構造により、弾性掛け合い部材と噛み合わせ溝と掛け合って結合し、雄挿入部材、雌台部材を快速に組立できるほか、絶縁体を雄挿入部材、雌台部材が挿入する上下金属片に固定しておき、雄挿入部材、雌台部材の弛みと上下金属片の変形による短絡を防止する。
【０００６】
前記の公知技術の雄挿入部材、雌台部材の連結場所は外部衝撃による弛みを解決することが本考案の主な目的である。本考案人は一種の雄挿入部材、雌台部材を提供し、噛み合わせ方式でもって、大電流コネクタを噛み合わせて、絶縁体を雄挿入部材、雌台部材が挿入する上下金属片に固定しておき、弛みと上下金属片の変形による短絡を防止する。
【課題を解決するための手段】
【０００７】
請求項１の考案は、雄挿入部材に外部ケース、導通体、および上部金属片を設け、外部ケース両端に中空体をそれぞれに設け、かつ、二つの中空体の間に掛け合い溝を設ける、その一端に台形面を設け、他端に備える相継ぎ端の両側に弾性掛け合い部材を設ける、導通体の一端に外部ケースに備えるもう一つの中空体と同じ形状を設ける、上下金属片は二つの中空体間の掛け合い溝に挿入し、導通体を囲む、一端に円弧状の挿入端を設け、他端は導通孔端を設ける、
雌台部材に外部ケース、絶縁体および上部金属片を設け、外部ケースは中空体を設ける、その一端に挿入孔を設け、他端は導通端を設け、その両端に噛み合わせ溝をそれぞれに設ける、絶縁体は外部ケース一端の挿入孔に挿入し、両側に掛け合い溝を設け、一端に接触抵抗を設け、他端に挿入端を設ける、
上下金属片は絶縁体両側に備える掛け合い溝に挿入し、一端に挿入端を設け、他端に導通孔端を設けることを特徴とする一種の大電流コネクタとしている。
請求項２の考案は、請求項１記載の大電流コネクタにおいて、外部ケース一端の台形面に滑り防止横縞または突起部のいずれを設ける構造であることを特長とする大電流コネクタとしている。
請求項３の考案は、請求項１記載の大電流コネクタにおいて、導通体の一端は上下端に凹み溝を備えた挿入端であり、他端は導通端構造であることを特長とする大電流コネクタとしている。
【考案の効果】
【０００８】
１. 本考案の雄挿入部材、雌台部材の構造体が小さく、平面接触による接続を実現し、接触抵抗を最大限に抑制し、大電流の導通に適し、簡単な取り付けとコネクタの固定効果がある。
２. 本考案の雄挿入部材外部ケース他端の相継ぎ端両側に弾性掛け合い部材を設け、雌台部材の噛み合わせ溝と掛け合って結合し、脱落を有効に防止できる。
３. 本考案の雄挿入部材に備える上下金属片の挿入端に円弧状を設け、上下金属片のへりを外部ケース導通体の掛け合い溝に順調に挿入できるため、上下金属片を有効に固定し、上下金属片がその他外部要因の弛みによる変形や短絡を防止できる。
４. 本考案の雌台部材内部に備える上下金属片の間に絶縁体で仕切るほか、上下金属片を固定しているため、変形や短絡を防止できる。
５. 本考案の雄挿入部材、雌台部材を挿入後、絶縁体により、その連結性を向上し、雄挿入部材、雌台部材の弛みを有効に防止できる。
６. 本考案の雄挿入部材の外部ケースは、台形面２０４の形態を設け、指つまみの便利を提供し、その表面に滑り防止横縞または突起部を設けて、挿抜使用の効果を改善できる。
【考案を実施するための最良の形態】
【０００９】
図１と図３に示すとおり、本考案の大電流コネクタ１０は、雄挿入部材２０と雌台部材３０より構成する。そのうち、
雄挿入部材２０に外部ケース２１、導通体２３および上部金属片２４、２５を設ける。外部ケース２１の両端に中空体２０１、２０２を設け、二つ中空体２０１、２０２の間に掛け合い溝２０１０を設ける。一つの端面に滑り防止横縞２０３(または突起部)を備える台形面２０４を設け、他端の相継ぎ端２０５の両側に弾性掛け合い部材２０６を設けて、その上に溝２０７を設ける。導通体２３一端の挿入端２３１に外部ケース２１一端の中空体２０１を同じ形状にしておき、挿入端２３１の上下端面に凹み溝２３２、２３３をそれぞれに設け、他端は線芯２２を穿設する導通端２３４を設ける。上下金属片２４、２５は二つの中空体２０１、２０２の間に備える掛け合い溝２０１０を穿設し、導通体２３の凹み溝２３２、２３３に固定し、一端は円弧状(図示していない)の挿入端２４０、２５０を設け、他端は導通孔端２４１、２５１を設ける。
【００１０】
雌台部材３０は外部ケース３１、絶縁体３２および上部金属片３３、３４(図３)より構成する。外部ケース３１は中空体であり、その一端に挿入孔３１１を設け、挿入孔３１１の上方は、外部ケース２１と向かい合った他端に備える相継ぎ端２０５の溝２０７に噛み合わせ接続体３１１０を設け、他端は導通端３１２を設ける。両側に噛み合わせ溝３１３を設けて、噛み合わせ溝３１３と外部ケース２１他端の相継ぎ端２０５両側に備える弾性掛け合い部材２０６を噛み合わせる。絶縁体３２は外部ケース３１一端の挿入孔３１１に挿入し、両側に掛け合い溝３２０をそれぞれに設け、その一端に接触端３２１を設けて、掛け合い溝３２０の他端に挿入端３２２を設ける。上下金属片３３、３４は絶縁体３２両側に備える掛け合い溝３２０に挿入し、一端に挿入端３３０、３４０を設け、他端に導通孔端３３１、３４１を設ける。
【００１１】
前記の雄挿入部材２０の外部ケース２１の他端に相継ぎ端２０５を設け、両側に弾性掛け合い部材２０６を設ける。雌台部材３０一端の挿入孔３１１に挿入し、両側に備える噛み合わせ溝３１３と噛み合わせておき、雄挿入部材２０と雌台部材３０が噛み合わせた後の弛みによる離脱を防止する。
【００１２】
さらに、前記の雄挿入部材２０の上下金属片２４、２５挿入端２４０、２５０に円弧状(図示していない)を設けて、上下金属片２４、２５のヘリを二つの中空体２０１、２０２間に備える掛け合い溝２０１０へ順調に挿入し、導通体２３の凹み溝２３２、２３３内部に固定することにより、上下金属片２４、２５を有効に固定するほか、上下金属片２４、２５がその他外部要因による変形の短絡を防止できる。
【００１３】
図３に示すとおり、前記の雄挿入部材、雌台部材２０、３０内部に備える上下金属片２４、２５、３３、３４の間は、絶縁体３２によって、隔離するほか、接続性を向上させる。さらに、上下金属片２４、２５、３３、３４を固定し、変形による短絡を完全に防止し、雄挿入部材、雌台部材２０、３０の弛みを有効に防止できる。
【００１４】
前記の雄挿入部材２０の外部ケース２１は台形面２０４の形態を設け指つまみに便利を提供し、その表面に滑り防止横縞２０３または突起部を設けて、挿抜使用の効果を改善できる。
【００１５】
図２、図３に示すとおり、本考案の大電流コネクタ１０は主に雄挿入部材２０外部ケース２１他端の相継ぎ端２０５に備える溝２０７と雌台部材３０外部ケース３１の挿入孔３１１に備える噛み合わせ接続体３１１０を照準して、外部ケース２１他端の相継ぎ端２０５に備える中空体２０２と外部スリーブ３１に上下金属片３３、３４を挿入した絶縁体３２を掛け合う。さらに、外部ケース２１側面に備える弾性掛け合い部材２０６を雌台部材３０外部ケース３１両側に向かい合った噛み合わせ溝３１３に挿入して、弾性掛け合い部材２０６と噛み合わせ溝３１３と掛け合って結合し、雄挿入部材、雌台部材２０、３０の組み立てを素早くに実現する。さらに、絶縁体３２を雄挿入部材、雌台部材２０、３０が挿入する上下金属片２４、２５、３３、３４に挿入し、上下金属片２４、２５、３３、３４の変形による短絡を避け、雄挿入部材、雌台部材２０、３０の弛みを防止し、連結性を向上させ、作業者の大電流コネクタ１０の組み立てに便利を提供し、大電流コネクタ１０の組み立て時間を短縮できる。
【００１６】
前記した本考案の大電流コネクタ１０の構造特徴は、利用者に一種の雄挿入部材、雌台部材２０、３０を提供し、掛け合い構造により、素早く結合できる。さらに、絶縁体３２をもって、雄挿入部材、雌台部材２０、３０内部に備える上下金属片２４、２５、３３、３４を固定し、その弛みの変形による短絡を防止できる。
【図面の簡単な説明】
【００１７】
【図１】本考案のコネクタの立面分解図である。
【図２】本考案のコネクタの立面組み合わせ図である。
【図３】本考案のコネクタの立面組み合わせ断面図である。
【符号の説明】
【００１８】
１０  大電流コネクタ
２０  雄挿入部材
２０１、２０２  中空体
２０１０  掛け合い溝
２０３    滑り防止横縞
２０４    台形面
２０５    相継ぎ端
２０６    弾性掛け合い部材
２０７  溝
２１    外部ケース
２２    線芯
２３    導通体
２３１    挿入端
２３２、２３３  凹み溝
２３４    導通端
２４    上部金属片
２４０、２５０  挿入端
２４１、２５１  導通孔端
２５  下部金属片
３０  雌台座
３１  外部スリーブ
３１１  挿入孔
３１２    導通端
３１３    噛み合わせ溝
３１１０  噛み合わせ接続体
３２  絶縁体
３２０    掛け合い溝
３２１  接触端
３２２  挿入端
３３    上部金属片
３４    下部金属片
３３０、３４０  挿入端
３３１、３４１  導通孔端
【図１】
0003122084.tif 000003
【図２】
0003122084.tif 000004
【図３】
0003122084.tif 000005